(57)【特許請求の範囲】
【請求項１】
ビデオデータと第１のオーディオデータとをそれぞれ圧縮し、圧縮した前記ビデオデータと前記第１のオーディオデータとを時分割多重化したデータであるＭＰＥＧ−ＴＳを、ＤＶ規格を基本としたＨＤＶ規格のＨＤ１モードに基づいた方法でデータ変換して、ＤＶテープの各トラックに設けられたＤＶビデオ領域に記録し、
前記ＤＶビデオ領域に前記ＭＰＥＧ−ＴＳとして記録される前記第１のオーディオデータとは別の第２のオーディオデータを前記ＤＶテープの各トラックに設けられたＤＶオーディオ領域に記録し、
前記ＭＰＥＧ−ＴＳを記録した時刻情報を少なくとも含む付加データであるサブコードデータを、前記ＤＶテープの各トラックに設けられたＤＶサブコード領域に記録し、  記録された前記ＭＰＥＧ−ＴＳ、前記第２のオーディオデータ及び前記サブコードデータを再生して、再生したこれらのデータをデジタル信号のまま外部へ出力する機能を有する記録再生装置において、
前記ＤＶビデオ領域、前記ＤＶオーディオ領域及び前記ＤＶサブコード領域からそれぞれ読み出された前記ＭＰＥＧ−ＴＳ、前記第２のオーディオデータ及び前記サブコードデータについて前記ＤＶ規格に基づいた内符号及び外符号の誤り訂正を行なう誤り訂正手段と、
前記ＤＶビデオ領域、前記ＤＶオーディオ領域及び前記ＤＶサブコード領域からそれぞれ読み出された前記ＭＰＥＧ−ＴＳ、前記第２のオーディオデータ及び前記サブコードデータを、デジタルインタフェースの規格であるＩＥＣ６１８８３−２フォーマットの構造に従ったＤＩＦパケットのビデオＤＩＦ領域、オーディオＤＩＦ領域及びサブコードＤＩＦ領域にそれぞれセットし、
かつ、前記誤り訂正手段で訂正した訂正結果のうち、内符号の誤り訂正の結果を前記Ｄ
ＩＦパケットのＤＢＮ領域にセットし、
かつ、外符号の誤り訂正の結果を前記ＤＩＦパケットのヘッダセクションのリザーブ領域にセットすることにより、前記ＩＥＣ６１８８３−２フォーマットを基にした新たなフォーマットのＤＩＦパケットを生成し外部へ出力するＤＩＦパケット化手段とを、
有することを特徴とする記録再生装置。
【発明の詳細な説明】
【技術分野】
【０００１】
本発明は、テープの各トラックに設けられたＤＶオーディオ領域、ＤＶビデオ領域及びサブコード領域にそれぞれＤＶオーディオデータ、ＭＰＥＧストリーム及びサブコードを記録して再生する記録再生装置に関する。
【背景技術】
【０００２】
図７は、図８に示すＤＶフォーマットでテープＴに記録再生する従来の装置を示す。映像信号Video、音声信号Audioはそれぞれ、ＤＶビデオエンコーダ（DV VIDEO ENC）１、ＤＶオーディオエンコーダ（DV AUDIO ENC）２によりＤＶフォーマットのビデオデータ（以下、ＤＶビデオデータと記す）、オーディオデータ（以下、ＤＶオーディオデータと記す）にエンコードされ、それぞれがＤＩＦ（デジタルインタフェース）バッファ３のビデオ領域、オーディオ領域に記録される。また、記録日時やタイムコードなどのＤＶサブコード情報はＤＩＦバッファ３のサブコード領域に記録される。
【０００３】
ＤＩＦバッファ３から出力するルートは、テープＴに記録されるルートとＩＥＥＥ１３９４インタフェースを介して外部に出力するルートがある。テープＴに記録する場合は、ＤＩＦバッファ３のデータに対してＥＣＣ１／２処理部４で内符号のＥＣＣ処理（ＥＣＣ１）と外符号のＥＣＣ処理（ＥＣＣ２）を行った後で、テープフォーマット処理部５で図８に示すようなＤＶのテープフォーマット形式に変換してテープＴへ記録される。一方、テープＴを再生してＩＥＥＥ１３９４インタフェースを介して外部に出力する場合は、テープＴの再生データがテープフォーマット処理部５、ＥＣＣ１／２処理部４を介してＤＩＦバッファ３に送られ、ＤＩＦバッファ３内のビデオ領域、オーディオ領域、サブコード領域のデータがＤＩＦ処理部６、ＩＥＥＥ１３９４ブロック７に渡され、ＩＥＣ６１８８３−２のＤＩＦ形式でＩＥＥＥ１３９４端子８より伝送される。
【０００４】
図９は、図１０に示すＨＤＶ規格のＨＤ１モードのフォーマットでテープＴに記録、再生する従来の装置を示す。映像信号Video、音声信号Audioはそれぞれ、ＭＰＥＧビデオエンコーダ（MPEG VIDEO ENC）１１、ＭＰＥＧオーディオエンコーダ（MPEG AUDIO ENC）１２によりＭＰＥＧフォーマットのビデオデータ、オーディオデータにエンコードされてＭＰＥＧ−ＰＥＳ形式になり、次いでそれぞれが後段の多重化ブロック（ＭＵＸ）１３で時分割多重され、１つのＭＰＥＧ−ＴＳデータになる。多重化ブロック１３から出力するルートは、テープＴに記録されるルートとＩＥＥＥ１３９４インタフェースを介して外部に出力するルートがある。
【０００５】
テープＴに記録する場合は、ＭＰＥＧ−ＴＳ→ＤＩＦ変換部１４でＭＰＥＧ−ＴＳ形式からＤＩＦ形式に変換する。以下、ＭＰＥＧ−ＴＳ形式をＤＩＦ形式に変換する方法について述べる。ＭＰＥＧ−ＴＳのデータ単位（パケットサイズ）は１８８バイトを単位としており、これを１ＴＳパケットと呼ぶ。一方、ＤＩＦのデータ単位はシンクブロック（Sync-Block）と呼ばれる９０バイト単位となっているため、データ単位の変換を行う。図１１に方法を示し、ＭＰＥＧ−ＴＳの２パケット（１８８バイト×２）をＤＶＣの５つのシンクブロックに分割、配置してヘッダなどを付加して記録する。このように、ＭＰＥＧ−ＴＳのデータ内容を変更することなくＤＩＦへ変換することで、ＭＰＥＧ−ＴＳとＤＩＦの間の相互変換が可能となる。
【０００６】
ＭＰＥＧ−ＴＳ→ＤＩＦ変換部１４により変換されたＤＩＦデータはＥＣＣ３処理部１５で時間軸方向のＥＣＣ処理（ＥＣＣ３）した後に、ＤＩＦバッファ１６のビデオ領域に記録される。また、アフレコ用の音声信号はＤＶオーディオエンコーダ（DV AUDIO ENC）１７によりＤＶフォーマットのオーディオデータに変換され、ＤＩＦバッファ１６のオーディオ領域に記録される。また、記録日時やタイムコードなどのＤＶサブコード情報はＤＩＦバッファ１６のサブコード領域に記録される。このように、ＤＩＦバッファ１６のオーディオ領域、サブコード領域は従来のＤＶフォーマットの信号処理と同じになっている。次いでＤＩＦバッファ１６のデータに対してＥＣＣ１／２処理部１８で内符号のＥＣＣ処理（ＥＣＣ１）と外符号のＥＣＣ処理（ＥＣＣ２）を行った後で、テープフォーマット処理部１９で図１０に示すようなＨＤＶ規格のＨＤ１モードのテープフォーマット形式に変換してテープＴへ記録される。一方、ＩＥＥＥ１３９４インタフェースを介して外部に出力する場合は、ＭＰＥＧストリームを伝送するＩＥＣ６１８８３−４規格で伝送する必要があるため、ＭＰＥＧ−ＴＳ形式でデータを伝送する。すなわち、テープＴ上のＭＰＥＧ−ＴＳの再生データのみがテープフォーマット処理部１９、ＥＣＣ１／２処理部１８、ＤＩＦバッファ１６、ＥＣＣ３処理部１５、ＭＰＥＧ−ＴＳ→ＤＩＦ変換部１４、ＩＥＥＥ１３９４ブロック２１に渡され、ＩＥＥＥ１３９４端子２２より伝送される。よって、テープＴに記録されているＤＶオーディオ領域やサブコード領域のデータはＭＰＥＧ−ＴＳ内には入らないため、ＩＥＥＥ１３９４端子２２からは出力されない。
【０００７】
ここで、ＤＶＣのＭＰＥＧフォーマット（ＨＤＶ規格のＨＤ１モードのフォーマット）に示される記録方式は、従来のＤＶフォーマットと物理フォーマットが同じため、同一システムでＤＶフォーマットとＨＤＶ規格のＨＤ１モードのＭＰＥＧフォーマットの２モードを実現することができる。また、デジタルデータ伝送のためにＩＥＥＥ１３９４端子２２を装備して外部機器とのデータ伝送が可能となっており、ＤＶフォーマットで記録されたテープの再生時はＩＥＣ６１８８３−２のＤＩＦ形式で、ＨＤＶ規格のＨＤ１モードのフォーマットで記録されたテープの再生時にはＩＥＣ６１８８３−４のＭＰＥＧ−ＴＳ形式でＩＥＥＥ１３９４上を伝送される。
【０００８】
また、ＨＤＶ規格のＨＤ１モードのフォーマットに示される記録方式は、テープ上の物理エリアに対して、従来のＤＶフォーマットで使用していたＤＶビデオエリアにＭＰＥＧビデオデータとＭＰＥＧオーディオデータをＴＳ形式で多重して記録するが、ＤＶオーディオエリアはＤＶＣのオーディオデータ記録エリアとして独立しており、ＭＰＥＧデータとは別にＤＶオーディオデータの記録再生が可能となっている。そのため、撮影済みのテープに対してＤＶオーディオエリアを使ってＢＧＭを追加したり、ナレーションを追加するようなアフレコ機能が簡単に実現できる（例えば下記の特許文献１参照）。
【特許文献１】特開２００４−２０１１６８号公報（要約書）
【発明の開示】
【発明が解決しようとする課題】
【０００９】
ＨＤＶ規格のＨＤ１モードのフォーマットに示される記録方式は、ＭＰＥＧデータだけでなくＤＶオーディオデータが独立して記録できる方式のため、撮影済みのテープに対してＢＧＭをつけたり、ナレーションを追加するようなアフレコ機能が簡単に実現できる。しかし、このようなテープをＩＥＥＥ１３９４端子経由で外部へ伝送するような場合には、ＭＰＥＧデータがＨＤＶ規格のＨＤ１モードのフォーマットで記録されているため、ＩＥＥＥ１３９４上の伝送方式はＤＶビデオエリアに記録されたＭＰＥＧデータのみが伝送されるＭＰＥＧ−ＴＳ形式となり、このため、テープ上にアフレコしたＤＶオーディオデータは伝送できず、結果としてアフレコ音声を外部に伝送することができなかった。
【００１０】
また、ＨＤＶ規格のＨＤ１モードのフォーマットのモードの場合でも、テープ上にはＤＶモードと同じ形式で記録日時やタイムコードなどの情報のサブコードデータが記録されているが、ＭＰＥＧ−ＴＳ形式の場合はサブコードデータが伝送されないため、ＭＰＥＧフォーマットで記録されたテープをＩＥＥＥ１３９４経由でダビング／コピーした場合でも記録日時情報などがコピーできず、ＭＰＥＧ以外のデータを含んだ完全なコピー／ダビングを行なうことができなかった。
【００１１】
本発明は上記従来技術の問題点に鑑み、ＭＰＥＧフォーマットでテープに記録されているＭＰＥＧ−ＴＳ以外のデータを外部に転送することができる記録再生装置を提供することを目的とする。
【課題を解決するための手段】
【００１２】
本発明は上記目的を達成するために、ビデオデータと第１のオーディオデータとをそれぞれ圧縮し、圧縮した前記ビデオデータと前記第１のオーディオデータとを時分割多重化したデータであるＭＰＥＧ−ＴＳを、ＤＶ規格を基本としたＨＤＶ規格のＨＤ１モードに基づいた方法でデータ変換して、ＤＶテープの各トラックに設けられたＤＶビデオ領域に記録し、
前記ＤＶビデオ領域に前記ＭＰＥＧ−ＴＳとして記録される前記第１のオーディオデータとは別の第２のオーディオデータを前記ＤＶテープの各トラックに設けられたＤＶオー
ディオ領域に記録し、
前記ＭＰＥＧ−ＴＳを記録した時刻情報を少なくとも含む付加データであるサブコードデータを、前記ＤＶテープの各トラックに設けられたＤＶサブコード領域に記録し、
記録された前記ＭＰＥＧ−ＴＳ、前記第２のオーディオデータ及び前記サブコードデータを再生して、再生したこれらのデータをデジタル信号のまま外部へ出力する機能を有する記録再生装置において、
前記ＤＶビデオ領域、前記ＤＶオーディオ領域及び前記ＤＶサブコード領域からそれぞれ読み出された前記ＭＰＥＧ−ＴＳ、前記第２のオーディオデータ及び前記サブコードデータについて前記ＤＶ規格に基づいた内符号及び外符号の誤り訂正を行なう誤り訂正手段と、
前記ＤＶビデオ領域、前記ＤＶオーディオ領域及び前記ＤＶサブコード領域からそれぞれ読み出された前記ＭＰＥＧ−ＴＳ、前記第２のオーディオデータ及び前記サブコードデータを、デジタルインタフェースの規格であるＩＥＣ６１８８３−２フォーマットの構造に従ったＤＩＦパケットのビデオＤＩＦ領域、オーディオＤＩＦ領域及びサブコードＤＩＦ領域にそれぞれセットし、
かつ、前記誤り訂正手段で訂正した訂正結果のうち、内符号の誤り訂正の結果を前記ＤＩＦパケットのＤＢＮ領域にセットし、
かつ、外符号の誤り訂正の結果を前記ＤＩＦパケットのヘッダセクションのリザーブ領域にセットすることにより、前記ＩＥＣ６１８８３−２フォーマットを基にした新たなフォーマットのＤＩＦパケットを生成し外部へ出力するＤＩＦパケット化手段とを、
有することを特徴とする。
【発明の効果】
【００１３】
本発明によれば、テープのＤＶオーディオ領域、ＤＶビデオ領域及びサブコード領域からそれぞれ読み出されたＤＶオーディオデータ、ＭＰＥＧストリーム及びサブコードを内符号及び外符号の誤り訂正を行い、ＤＶオーディオ領域、ＤＶビデオ領域及びサブコード領域からそれぞれ読み出されたＤＶオーディオデータ、ＭＰＥＧストリーム及びサブコードと訂正処理結果をＤＩＦパケット内に配置してＤＩＦ形式で外部に出力するので、ＭＰＥＧフォーマットでテープに記録されているＭＰＥＧ−ＴＳ以外のデータを外部に転送することができる。
【発明を実施するための最良の形態】
【００１４】
以下、図面を参照して本発明の実施の形態について説明する。図１は本発明に係る記録再生装置の一実施の形態を示すブロック図、図２はＤＩＦシーケンスのデータ構造を示す説明図、図３は内符号の訂正処理結果を示す説明図、図４は外符号の訂正処理結果を示す説明図、図５はＩＥＥＥ１３９４のＣＩＰヘッダのデータ構造を示す説明図、図６は図５のＦＭＴを詳しく示す説明図である。
【００１５】
図１において、映像信号Video、音声信号Audioの信号処理ルートやアフレコ用の音声信号、サブコードなどの信号をテープ記録する際のルートは図９のＨＤＶ規格のＨＤ１モードのフォーマットの方式と同じであるが、本実施の形態では、ＭＰＥＧデータの他にＤＶオーディオデータとサブコードデータをＩＥＥＥ１３９４端子３２から伝送できるようにするために、ＤＩＦバッファ１６のビデオ領域に記録されているＭＰＥＧデータをＤＩＦ形式のまま取り出し、Ｐｒｏ−ＨＤ処理ブロック３０へ転送する。これはＭＰＥＧ−ＴＳ形式とＤＩＦ形式は相互変換が可能であり、かつＤＩＦ形式にしておくことがＩＥＣ６１８８３−２の形式で伝送するのに適しているからである。また、ＤＩＦバッファ１６内のＤＶオーディオとサブコードの領域のデータもＤＶフォーマットと同様にＰｒｏ−ＨＤ処理ブロック３０へ転送する。さらに、ＥＣＣ１／２の処理結果もＰｒｏ−ＨＤ処理ブロック３０へ転送する。
【００１６】
さらに、このように処理されたデータをＩＥＥＥ１３９４ブロック３１を介して伝送する場合、ＩＥＣ６１８８３−２（ＤＩＦ）、ＩＥＣ６１８８３−４（ＭＰＥＧ−ＴＳ）のどちらの形式でもないため、新たに伝送形式（ここでは、Ｐｒｏ−ＨＤＶ形式という）を規定する。Ｐｒｏ−ＨＤＶフォーマットの伝送方式は、従来のＨＤＶ規格のＨＤ１モードのフォーマットで行っていたＭＰＥＧ−ＴＳ→ＤＩＦ変換とＥＣＣ３の処理を受信機側で行うことになるが、そのための情報として再生時のＥＣＣ１／２のフラグ情報をＤＩＦの形式を崩さない形で伝送データに付加し伝送することで、受信機側でのＨＤＶフォーマット処理が実現できるようにしている。
【００１７】
ここで、ＤＩＦストリームのデータ構造について説明する。５２５−３０システムの１フレームは１０個のＤＩＦシーケンスにより構成され、６２５−２５システムの１フレームは１２個のＤＩＦシーケンスにより構成されている。１つのＤＩＦシーケンスは図２に示すように、各々が８０バイトの１５０個のＤＩＦブロックにより構成され、詳しくは１つのヘッダＤＩＦブロックＨ０のヘッダセクションと、２つのサブコードＤＩＦブロックＳＣ０、ＳＣ１のサブコードセクションと、３つのビデオ補助ＤＩＦブロックＶＡ０、ＶＡ１、ＶＡ２のビデオ補助セクションと、９個のオーディオＤＩＦブロックＡ０〜Ａ８のオーディオセクションと、１３５個のビデオＤＩＦブロックＶ０〜Ｖ１３４により構成されている。そこで、Ｐｒｏ−ＨＤ処理ブロック３０では、テープＴから再生されたサブコード、ＤＶオーディオデータ（ＰＣＭデータ）、ＭＰＥＧ−ＴＳをそれぞれサブコードＤＩＦブロックＳＣ０、ＳＣ１、オーディオＤＩＦブロックＡ０〜Ａ８、ビデオＤＩＦブロックＶ０〜Ｖ１３４に配置する。
【００１８】
また、１つのＤＩＦブロックは３バイトのＤＩＦブロックＩＤと７７バイトのデータ部により構成されている。図３（ａ）に示すように、３バイト（ＩＤ０、ＩＤ１、ＩＤ２）のＤＩＦブロックＩＤは、ＤＩＦブロック種別（ＳＣＴ２〜ＳＣＴ０）と、ＤＩＦシーケンス番号（ＤＳｅｑ３〜ＤＳｅｑ０）と、ＤＩＦブロック番号（ＤＢＮ７〜ＤＢＮ０）などにより構成されている。
【００１９】
ＥＣＣ１／２のフラグ情報の付加方法を説明する。まず、ビデオ補助ＤＩＦブロックＶＡ０、ＶＡ１、ＶＡ２と、オーディオＤＩＦブロックＡ０〜Ａ８とビデオＤＩＦブロックＶ０〜Ｖ１３４のＤＩＦブロックＩＤ（ＩＤ０、ＩＤ１、ＩＤ２）における８ビット（ＩＤ２）のＤＩＦブロック番号（ＤＢＮ７〜ＤＢＮ０）の代わりに、図３（ｂ）に示すように４ビットの内符号の訂正処理（ＥＣＣ１）の結果Iflag3〜Iflag0を格納する。訂正結果Iflag3〜Iflag0の詳しい内容を図３（ｃ）に示す。また、図４に示すようにヘッダＤＩＦブロックＨ０の４８〜５９バイト目、６８〜７９バイト目の位置はリザーブ領域（通常オール１）であるので、ＤＩＦシーケンス番号＝ＮのヘッダＤＩＦブロックＨ０のこのリザーブ領域にトラック＝Ｎの外符号の訂正処理（ＥＣＣ２）の結果（オーディオ用ＥＣＣ２フラグaflag、ビデオ用ＥＣＣ２フラグvfrag）を格納する。
【００２０】
さらに、このように処理されたデータをＩＥＥＥ１３９４を介して伝送する場合、ＩＥＣ６１８８３−２（ＤＩＦ）、ＩＥＣ６１８８３−４（ＭＰＥＧ−ＴＳ）のどちらかの形式ではないため、新たに伝送形式（Ｐｒｏ−ＨＤＶ形式）をＩＥＥＥ１３９４パケットのヘッダに規定する。ここで、ＩＥＥＥ１３９４のＣＩＰヘッダは、図５に示すように４バイト（Quadlet）×２で構成され、ソースノードＩＤ（ＩＤ）、データブロックサイズ（ＤＢＳ）、フラクション番号（ＦＮ）、Quadlet パディングカウント（ＱＰＣ）、ソースパケットヘッダ（ＳＰＨ）、データブロック連続性カウンタ（ＤＢＣ）、フォーマットＩＤ（ＦＭＴ）などにより構成され、ＦＭＴは図６に示すように、ＤＶＣＲの場合には０ｘ００、ＭＰＥＧ２−ＴＳの場合には０ｘ２０と規定され、また、Ｆｒｅｅ＝０ｘ１Ｅは自由（ベンダーユニーク）と規定されている。そこで、Ｆｒｅｅ＝０ｘ１Ｅに設定して新モード（Ｐｒｏ−ＨＤＶベンダーユニークフォーマット）と指定し、伝送モードが新モードであることを明示することで、受信機側ではこのＦＭＴの値を見て伝送モードの判別を行い、受信したデータの処理をＰｒｏ−ＨＤＶモードに変更する。
【図面の簡単な説明】
【００２１】
【図１】図１は本発明に係る記録再生装置の一実施の形態を示すブロック図である。
【図２】ＤＩＦシーケンスのデータ構造を示す説明図である。
【図３】内符号の訂正処理結果を示す説明図である。
【図４】外符号の訂正処理結果を示す説明図である。
【図５】ＩＥＥＥ１３９４のＣＩＰヘッダのデータ構造を示す説明図である。
【図６】図５のＦＭＴを詳しく示す説明図である。
【図７】ＤＶフォーマットの記録再生装置の一実施の形態を示すブロック図である。
【図８】ＤＶテープフォーマットを示す説明図である。
【図９】ＨＤＶ規格のＨＤ１モードのフォーマットの記録再生装置の一実施の形態を示すブロック図である。
【図１０】ＨＤＶ規格のＨＤ１モードのテープフォーマットを示す説明図である。
【図１１】ＭＰＥＧ−ＴＳ→ＤＩＦ変換の処理を示す説明図である。
【符号の説明】
【００２２】
１１  ＭＰＥＧビデオエンコーダ（MPEG VIDEO ENC）
１２  ＭＰＥＧオーディオエンコーダ（MPEG AUDIO ENC）
１３  多重化ブロック（ＭＵＸ）
１４  ＭＰＥＧ−ＴＳ→ＤＩＦ変換部
１５  ＥＣＣ３処理部
１６  ＤＩＦバッファ
１７  ＤＶオーディオエンコーダ（DV AUDIO ENC）
１８  ＥＣＣ１／２処理部
１９  テープフォーマット処理部
３０  Ｐｒｏ−ＨＤ処理ブロック
【図１】
0004577617.tif 000002
【図２】
0004577617.tif 000003
【図３】
0004577617.tif 000004
【図４】
0004577617.tif 000005
【図５】
0004577617.tif 000006
【図６】
0004577617.tif 000007
【図７】
0004577617.tif 000008
【図８】
0004577617.tif 000009
【図９】
0004577617.tif 000010
【図１０】
0004577617.tif 000011
【図１１】
0004577617.tif 000012